(57)【要約】【課題】大型化を抑制しつつ電子装置を収容する巻回体収容箱を提供する。【解決手段】巻回体収容箱１００は、巻芯９２に薄膜状の長尺物９１ｆが巻かれた巻回体９１ｒと、巻回体９１ｒを収容する本体部１０であって、長尺物９１ｆを引き出し可能な開口１０ｈが形成された本体部１０と、巻芯９２の内部に収容された電子装置３８とを備える。而して、電子装置３８が巻芯９２の内部に収容されているので、電子装置３８の収容スペースを確保するために本体部１０を大きくする必要がなくなり、巻回体収容箱１００の大型化を抑制することができる。【選択図】図１
2014076825.tif 000002
【特許請求の範囲】
【請求項１】
筒状の巻芯に薄膜状の長尺物が巻かれて構成された巻回体と；
前記巻回体を収容する本体部であって、前記長尺物を引き出し可能な開口が形成された本体部と；
前記巻芯の内部に収容された電子装置とを備える；
巻回体収容箱。
【請求項２】
前記電子装置が、音を発する発音装置の構成部材である；
請求項１に記載の巻回体収容箱。
【請求項３】
前記開口を覆う蓋部であって、前記本体部に辺で連接して前記辺を回動軸線として回動可能に構成された蓋部を備え；
前記発音装置が、前記蓋部が適正に閉じられているときに音を発するように構成された；
請求項２に記載の巻回体収容箱。
【請求項４】
前記発音装置が、前記蓋部が適正に閉じられているときに前記蓋部に押下される軸棒と、前記軸棒が押下されているときに音を発する発音部材とを有し；
前記電子装置が前記発音部材である；
請求項３に記載の巻回体収容箱。
【発明の詳細な説明】
【技術分野】
【０００１】
本発明は巻回体収容箱に関し、特に大型化を抑制しつつ電子装置を収容する巻回体収容箱に関する。
【背景技術】
【０００２】
食材や料理あるいは皿などの食器を料理ごと包む食品用ラップフィルムが広く用いられている。食品用ラップフィルムは、典型的には、ロール状に巻かれた長尺のプラスチックフィルム（巻回体）が、板紙が折り曲げられて形成された長い直方体の容器（収容箱）に収容されており、使用する際には、先端のフィルムをロールから必要量引き出し、容器の蓋に取り付けられている切断刃で切断する。一人で炊事する主婦にとって無味乾燥な台所で使用される場合が多いフィルムを使用する際に、フィルムを使用する毎に美しい音色の音楽が台所に流れて主婦の気持ちをやわらげることを目的とした包装用フィルム収納ケースとして、ケースのフタを開け光を入れると、ケース内の中箱の上部に装着した光センサのスイッチを持つ電子オルゴールが作動し旋律音を発するようにしたものがある（例えば、特許文献１参照。）。
【先行技術文献】
【特許文献】
【０００３】
【特許文献１】実開昭６１−１６４１２９号公報
【発明の概要】
【発明が解決しようとする課題】
【０００４】
しかしながら、特許文献１に記載された包装用フィルム収納ケースは、包装用フィルムを収めた中箱がケース本体の内側にあり、中箱の上部に電子オルゴール基板が置かれているため、その分ケースを大きくする必要がある。
【０００５】
本発明は上述の課題に鑑み、大型化を抑制しつつ電子装置を収容する巻回体収容箱を提供することを目的とする。
【課題を解決するための手段】
【０００６】
上記目的を達成するために、本発明の第１の態様に係る巻回体収容箱は、例えば図１に示すように、筒状の巻芯９２（図１（Ｂ）参照）に薄膜状の長尺物９１ｆが巻かれて構成された巻回体９１ｒと；巻回体９１ｒを収容する本体部１０であって、長尺物９１ｆを引き出し可能な開口１０ｈが形成された本体部１０と；巻芯９２の内部に収容された電子装置３８（図１（Ｂ）参照）とを備える。
【０００７】
このように構成すると、電子装置が巻芯の内部に収容されているので、電子装置の収容スペースを確保するために本体部を大きくする必要がなくなり、巻回体収容箱の大型化を抑制することができる。
【０００８】
また、本発明の第２の態様に係る巻回体収容箱は、例えば図１及び図３に示すように、上記本発明の第１の態様に係る巻回体収容箱１００において、電子装置３８が、音を発する発音装置３０の構成部材である。
【０００９】
このように構成すると、長尺物の使用者に音を聞かせることができる。
【００１０】
また、本発明の第３の態様に係る巻回体収容箱は、例えば図１に示すように、上記本発明の第２の態様に係る巻回体収容箱１００において、開口１０ｈを覆う蓋部２０であって、本体部１０に辺１８で連接して辺１８を回動軸線として回動可能に構成された蓋部２０を備え；発音装置３０が、蓋部２０が適正に閉じられているときに音を発するように構成されている。
【００１１】
このように構成すると、長尺物の使用者が長尺物を使用する際に、蓋部が適正に閉じられているか否かを音で確認することができ、蓋部を適正に閉じた状態で長尺物を切断することを促進することができる。
【００１２】
また、本発明の第４の態様に係る巻回体収容箱は、例えば図１及び図３（Ａ）に示すように、上記本発明の第３の態様に係る巻回体収容箱１００において、発音装置３０が、蓋部２０が適正に閉じられているときに蓋部２０に押下される軸棒３４と、軸棒３４が押下されているときに音を発する発音部材３８とを有し；電子装置が発音部材３８である。
【００１３】
このように構成すると、比較的単純な構成で適切に音を発生させることができる。
【発明の効果】
【００１４】
本発明によれば、電子装置が巻芯の内部に収容されているので、電子装置の収容スペースを確保するために本体部を大きくする必要がなく、巻回体収容箱の大型化を抑制することができる。
【図面の簡単な説明】
【００１５】
【図１】（Ａ）は本発明の実施の形態に係る巻回体収容箱の斜視図、（Ｂ）は本発明の実施の形態に係る巻回体収容箱の側面断面図である。
【図２】本発明の実施の形態に係る巻回体収容箱の本体部及び蓋部の展開図である。
【図３】本発明の実施の形態に係る巻回体収容箱が備える発音装置を示す図であり、（Ａ）は斜視図、（Ｂ）は水平断面図である。
【発明を実施するための形態】
【００１６】
以下、図面を参照して本発明の実施の形態について説明する。なお、各図において互いに同一又は相当する部材には同一あるいは類似の符号を付し、重複した説明は省略する。
【００１７】
まず図１を参照して、本発明の実施の形態に係る巻回体収容箱を説明する。以下の説明では、巻回体が収容されていない巻回体収容箱と、巻回体が収容されている巻回体収容箱とを区別するため、巻回体が収容されていない巻回体収容箱をラップカートン１といい、巻回体が収容されている巻回体収容箱をラップ入りカートン１００ということとする。図１（Ａ）は、ラップ入りカートン１００の斜視図、図１（Ｂ）はラップ入りカートン１００の側面断面図である。図１（Ａ）は、開蓋状態を示している。図１（Ｂ）は、軸直角断面を示している。巻回体としてのラップロール９１ｒは、薄膜状の長尺物としてのラップフィルム９１ｆが円筒状の巻芯９２（図１（Ｂ）参照）に軸線９１ａまわりに巻かれてロール状に形成されたものである。以下の説明において、ラップロール９１ｒとラップフィルム９１ｆとの外観形状の区別をしない場合は、「ラップ９１」と総称する。ラップフィルム９１ｆは、本実施の形態では、ポリ塩化ビニリデンを原料として、幅が３００ｍｍ、厚さが５〜２０μｍに形成されている。ラップカートン１は、ラップロール９１ｒを収容する本体部１０と、本体部１０に連接された蓋部２０と発音装置３０とを備えている。
【００１８】
本体部１０は、未使用のラップロール９１ｒを収容できる大きさの直方体に対して、ラップロール９１ｒの軸線９１ａと平行になる４つの長方形面（細長い面）のうちの１つが開口面１０ｈとなっている箱である。本体部１０の大きさは、収容した未使用のラップロール９１ｒを軸線９１ａ回りに回転させるのを妨げない隙間が形成される一方で、できるだけ小さく形成されており、本実施の形態では、長さ３１０ｍｍ、高さ４４ｍｍ、奥行き４４ｍｍの大きさに形成されている。本体部１０は、開口面１０ｈと協働して直方体の側面を構成する前板１２、底板１３、後板１４と、直方体の端面を構成する２つの脇板１５とを有している。底板１３は、開口面１０ｈに対向している。前板１２及び後板１４は、開口面１０ｈ及び底板１３に直交している。脇板１５は、典型的には正方形に形成されているが、縦横の長さが異なる矩形であってもよい。以下の説明においては、水平な面に底板１３が載置された状態を基準として、底板１３側を下、開口面１０ｈ側を上として説明する場合もある。
【００１９】
脇板１５の上端の中央部分には、３ｍｍ程度上方に延びた小片が外側に折り返されて形成された突起１５ｐが設けられている。突起１５ｐは、２つあるそれぞれの脇板１５の上端に設けられている。また、本体部１０は、前板端辺１９で前板１２と連続する副板１６（図１（Ｂ）参照）を有している。前板端辺１９は、前板１２と開口面１０ｈとが交わる部分の前板１２の端辺であり、本実施の形態では前板１２と副板１６との境界を兼ねている。副板１６は、前板１２と略同じ大きさであるが底板１３とは接しておらず、前板１２よりも本体部１０の内側に設けられている。副板１６は、底板１３側の端辺が、長手方向に沿って前板１２に接着されている。
【００２０】
蓋部２０は、本体部１０の開口面１０ｈを塞ぐ部材である。蓋部２０は、蓋板２１と、掩蓋片２２と、切断刃２３と、側蓋片２５とを有している。蓋板２１は、開口面１０ｈと略同じ大きさの矩形平板状部材であり、蓋板２１を開口面１０ｈに合わせることで本体部１０を閉塞した直方体とすることができるようになっている。換言すれば、蓋板２１は、蓋部２０を閉じたときに開口面１０ｈを覆うようになっている。蓋板２１が開口面１０ｈと略同じ大きさとは、蓋板２１が、掩蓋片２２の厚さ及び側蓋片２５の厚さの分大きく、蓋部２０の開閉を妨げない隙間が形成される程度大きい場合を含むことを意味している。蓋板２１は、長手方向の一辺が、本体部１０の後板端辺１８で連接している。換言すれば、本体部１０と蓋板２１とは、後板端辺１８を介して連接している。後板端辺１８は、後板１４と開口面１０ｈとが交わる部分の後板１４の端辺である。蓋板２１は、後板端辺１８を回転軸線として、本体部１０に対して回動することができるように構成されている。
【００２１】
掩蓋片２２は、折曲辺２１ｆを介して蓋板２１と直交し、蓋部２０を閉じたときに底板１３に向かって延びるように設けられている。掩蓋片２２は、ラップロール９１ｒの軸線９１ａが延びる方向（以下「軸線方向Ｄ」という。）の両端における高さ（長方形の前板１２の短辺方向の長さ）が、前板１２の短辺方向の長さの約１／２で、軸線方向Ｄの中央部の高さが、前板１２の短辺方向の長さの約３／４となっている。折曲辺２１ｆに対向する先端辺２２ｔは、軸線方向Ｄにおける中央からそれぞれの端部に移動するに連れて、軸線方向Ｄに直交する方向における折曲辺２１ｆと先端辺２２ｔとの距離が短くなるように形成されている。このような構成により、折曲辺２１ｆに対向する先端辺２２ｔがＶ字状に形成されることとなる。掩蓋片２２は、蓋部２０が閉じられたときに、前板１２に沿って前板１２の外側に重なり、前板１２の上部を五角形状に覆うこととなる。掩蓋片２２は、軸線方向Ｄの長さが前板１２よりもわずかに長く構成されており、本体部１０に収容されているラップ９１の幅よりも長い。これにより、掩蓋片２２は、本体部１０の中から引き出されたラップフィルム９１ｆを、その幅全体にわたって、前板１２との間に挟むことができるように構成されている。掩蓋片２２の先端辺２２ｔには、ラップフィルム９１ｆを切断するための切断刃２３が取り付けられている。切断刃２３は、刃先が先端辺２２ｔから出るように、先端辺２２ｔに沿ってＶ字状に設けられている。
【００２２】
側蓋片２５は、蓋板２１及び掩蓋片２２の双方に直交して設けられている。側蓋片２５は、蓋板２１（掩蓋片２２）の両端に合計２つ設けられている。側蓋片２５は、基本形状が、長辺が蓋板２１の短辺と同じ長さで、短辺が掩蓋片２２の中央部における高さ（Ｖ字状の先端から折曲辺２１ｆまでの最短距離）と略同じ長さの長方形に形成されている。側蓋片２５は、掩蓋片２２に連接された接合片２２ｊに接着剤で固定されている。側蓋片２５の内側には、接合片２２ｊと蓋板２１との間に、凹部２５ｄが形成されている。凹部２５ｄには、蓋部２０を閉じたときに、脇板１５の上端に設けられた突起１５ｐが嵌ることとなる。上述のように構成された蓋部２０は、閉じたときに、本体部１０の開口１０ｈに覆い被さり、掩蓋片２２が前板１２の上部を覆うようになっている。
【００２３】
本体部１０の前板１２の上部には、切り線１２ｃに沿って切り込まれることにより、前板端辺１９を軸線として外側に浮く（副板１６から離れる）フラップ１２ｆが形成されている。本実施の形態では、前板１２を軸線方向Ｄに二等分する仮想の直線（不図示）を対称軸として、２つのフラップ１２ｆが線対称に設けられている。２つのフラップ１２ｆは、共に、蓋部２０を閉じたときに掩蓋片２２に覆われる前板１２の領域内に収まるように形成されている。前板１２の上部には、係止手段としてのストッパー５０が、前板端辺１９に沿って形成されている。ストッパー５０は、本実施の形態では、ＵＶニスが塗布されることで形成されている。ストッパー５０を形成するＵＶニスは、ラップフィルム９１ｆに対して付着するが、紙や埃等は付着しない特性を有している。また、ストッパー５０に付着したラップフィルム９１ｆは、付着面に平行な方向（せん断方向）には強く付着するが、付着面に垂直な方向（付着面から引き離す方向）には比較的弱く付着する。つまり、ストッパー５０は、ラップフィルム９１ｆが本体部１０から引き出される方向である引出方向Ｐに前板１２に沿うように引かれたときにはラップフィルム９１ｆを引出方向Ｐに移動させないようにラップフィルム９１ｆに付着し、ラップフィルム９１ｆが付着面から離れる方向にめくられるように引かれたときにはラップフィルム９１ｆが剥がれるように構成されている。
【００２４】
図２に、ラップカートン１の本体部１０及び蓋部２０の展開図を示す。本体部１０及び蓋部２０は、本実施の形態では、約０．４５〜０．７ｍｍ厚のコートボール紙が、図２に示す所定の型に打ち抜かれたものが折り曲げ加工されて形成されている。このため、ラップカートン１は、弾性を有している。なお、本実施の形態では、説明の便宜上、本体部１０と蓋部２０とを機能の観点から区別しているが、本体部１０及び蓋部２０は、１枚の原紙を切り出して組み立てられて一体に形成されている。本体部１０及び蓋部２０の表面は、消費者の購買意欲を惹起するようなデザインが印刷されたうえで、撥水加工等の表面処理が施されている。
【００２５】
図２に示すように、前板１２には、軸線方向Ｄの両端に接合片１２ｊが連接されている。後板１４には、軸線方向Ｄの両端に接合片１４ｊが連接されている。２つの脇板１５は、底板１３の軸線方向Ｄの両端にそれぞれ連接されている。副板１６、前板１２、底板１３、後板１４、蓋板２１、掩蓋片２２は、この順番で配列されて、隣接する部材同士が軸線方向Ｄの全体にわたって連接されている。さらに、掩蓋片２２の外側には、ミシン目２９ｃを介して切取片２９が連接されている。副板１６、前板１２、底板１３、後板１４は、軸線方向Ｄに延びる折曲線で折り曲げられ、接合片１２ｊ、接合片１４ｊ、及び脇板１５は、それぞれ、軸線方向Ｄに直交する方向に延びる折曲線で折り曲げられ、接合片１４ｊの外側に接合片１２ｊが重ねられて接着され、これらのさらに外側に脇板１５が重ねられて接着されることで、直方体状の本体部１０に形成されている。他方、蓋板２１には、図２に示すように、軸線方向Ｄの両端に側蓋片２５が連接されている。掩蓋片２２には、軸線方向Ｄの両端に接合片２２ｊが連接されている。後板１４、蓋板２１、掩蓋片２２は、軸線方向に延びる折曲線で折り曲げられ、側蓋片２５及び接合片２２ｊは、それぞれ、軸線方向Ｄに直交する方向に延びる折曲線で折り曲げられ、前述のように接合片２２ｊの外側に側蓋片２５が重ねられて接着されることで、立体的な蓋部２０が形成されている。
【００２６】
ここで図３及び図１（Ｂ）を参照して、発音装置３０の詳細を説明する。図３は、発音装置３０を示す図であり、（Ａ）は斜視図、（Ｂ）は水平断面図である。以下の発音装置３０の説明において、発音装置３０以外のラップ入りカートン１００の構成に言及しているときは、適宜図１（Ａ）を参照することとする。発音装置３０は、基盤となる支持板３１と、音波を発する発音部材３８と、発音部材３８を収容する包囲部材としての円筒部３２と、発音部材３８から音波を発する契機を与えるスイッチ３３とを有している。
【００２７】
支持板３１は、合成樹脂で形成された板状の部材である。支持板３１は、矩形に形成されており、その大きさは脇板１５と同程度であって、脇板１５に面で接触しながら本体部１０内に収容することができる幅に形成されている。支持板３１の高さは、脇板１５の高さよりも、後述する所定の距離だけ小さく形成されている。支持板３１の厚さは、ラップロール９１ｒが本体部１０に収容されたときに、ラップロール９１ｒの一端と脇板１５との間に配置することができて、ラップロール９１ｒの軸線９１ａまわりの回転を妨げないような遊びが形成される厚さに形成されている。支持板３１の一方の側辺には、当該側辺に沿って延びる筒状の鞘部３１ｓが形成されている。なお、図１（Ｂ）及び図３（Ａ）では、鞘部３１ｓの内部構造を示すため、一部を切り欠いて表現している。
【００２８】
円筒部３２は、典型的には支持板３１と同じ材料で形成された円筒形状の部材である。円筒部３２は、円筒の外径が、ラップロール９１ｒの巻芯９２の内径よりも小さく形成されている（図１（Ｂ）参照）。このような構成により、円筒部３２がラップロール９１ｒの巻芯９２内に挿入されたときに、ラップロール９１ｒが軸線回りに回転する際の抵抗を軽減することができる。円筒部３２は、その軸線が支持板３１の面の図心に概ね一致する位置で、一端が支持板３１に固着されている。本実施の形態では、円筒部３２が接する部分の支持板３１に、円筒部３２の内径に沿って開口が形成されている（図３（Ｂ）参照）。これにより、円筒部３２の両端は貫通している。
【００２９】
スイッチ３３は、支持板３１の鞘部３１ｓに挿入された軸棒３４と、軸棒３４の一方の端部に設けられたボタン３５と、軸棒３４を付勢するばね３６と、ボタン３５とは反対側の軸棒３４の端部に対して接触可能な接点板３７とを有している。軸棒３４は、鞘部３１ｓの内部で軸方向に移動可能な太さに形成されている。また、軸棒３４は、電気を流すことができる金属材料で形成されている。ボタン３５は、支持板３１を本体部１０に装着したときに、開口面１０ｈ側の軸棒３４の先端に取り付けられている。ボタン３５は、本実施の形態では、硬質ゴムが円柱状に形成されて構成されている。ボタン３５の外径は、ボタン３５が鞘部３１ｓの中に入り込まないように、鞘部３１ｓの内径よりも大きく形成されており、本実施の形態では鞘部３１ｓの外径と概ね同じ大きさに形成されている。
【００３０】
ばね３６は、コイルばねが用いられており、鞘部３１ｓの中に設けられている。ばね３６は、支持板３１を本体部１０に装着したときの開口面１０ｈ側に、換言するとボタン３５側に、軸棒３４を付勢するように設けられている。接点板３７は、電気を流すことができる金属材料で形成された薄板部材である。接点板３７は、鞘部３１ｓに直交する支持板３１の辺のうち、ボタン３５がある側とは反対側の辺に取り付けられている。支持板３１は、鞘部３１ｓの開口を遮るように設けられている。接点板３７は、支持板３１の一辺全体に接する長さを有する必要はなく、支持板３１の辺に固定できる長さを有していれば足りる。
【００３１】
スイッチ３３は、ボタン３５を押下すると軸棒３４の先端が接点板３７に接触し、ボタン３５を押下する力を取り除くと、ばね３６の力によって軸棒３４が接点板３７から離間する方向に移動して、軸棒３４が接点板３７に接触しないように構成されている。ボタン３５が取り付けられた軸棒３４の長さは、発音装置３０が本体部１０に装着された状態で蓋部２０を適正に閉じたとき（ラップフィルム９１ｆを切断する際の蓋部２０の推奨位置）の、蓋板２１と接点板３７との距離に相当する長さとなっており、前板１２の高さと概ね同じである。支持板３１は、軸棒３４が接点板３７に接したときにボタン３５によって軸棒３４の移動が妨げられることがない高さに形成されている。この支持板３１の高さと脇板１５の高さとの差が、上述した所定の距離に相当する。
【００３２】
発音部材３８は、電子装置の主要部品であり、効果音、ＢＧＭ、メロディ、注意喚起の音声等を再生する電子回路と、音を発するスピーカーと、電子回路に電力を与えるバッテリーとを有している。上述したスイッチ３３は、電子装置の付属部品である。電子回路には、２本のケーブル（不図示）が設けられており、ケーブルの１つは軸棒３４に接続され、残りは接点板３７に接続されている。発音部材３８は、２本のケーブルがそれぞれ接続された軸棒３４と接点板３７とが接触すると、電子回路に電流が流れ、音が出るように構成されている。また、発音部材３８は、音が出始めてから所定時間が経過すると音が止まるように、タイマーを有している。このように構成されていることで、ラップフィルム９１ｆを切断後に継続して蓋部２０が閉じられたままとなる際に、軸棒３４と接点板３７とが接触したままとなる場合でも、音が出っぱなしになることを防ぐことができる。所定時間は、ラップフィルム９１ｆの使用者が、蓋部２０を閉じたことが確認できる短時間、又はラップフィルム９１ｆの切断に要する時間、あるいはこれらに余裕分を加えた時間であってもよい。例えば、０．５秒〜２０秒程度の時間を任意に設定することができ、あるいはこれら以外の時間を設定することもできる。
【００３３】
上述のように構成された発音装置３０は、本体部１０に設置されるに際し、ラップロール９１ｒの巻芯９２に円筒部３２が挿入された状態で、ボタン３５が開口面１０ｈ側に向けられ、支持板３１が一方の脇板１５と巻芯９２とに挟まれるようにして、ラップロール９１ｒと共に本体部１０に収容される。このとき、電子装置の主要部品である発音部材３８は巻芯９２の内部に収容されており、電子装置の付属部品であるスイッチ３３は巻芯９２の外側に配設されている。発音装置３０がこのように設置されることで、発音部材３８がラップロール９１ｒの巻芯９２内のデッドスペースに配置されることとなり、本体部１０内のスペースを有効に活用することができる。この結果、発音部材３８の収容スペースを確保するために本体部１０を大きくする必要がなくなり、ラップカートン１の大型化を抑制することができる。また、巻芯９２に対して発音装置３０（発音部材３８）を取り外し可能に挿入しているので、ラップフィルム９１ｆを使い切った後に発音装置３０を取り出して別のラップロール９１ｒに装着することができ、発音装置３０を繰り返し使用することが簡単にできる。
【００３４】
また、ラップロール９１ｒの巻芯９２は、両端が開口しているため、両端のいずれにも発音装置３０を嵌め込むことが可能ではあるが、ボタン３５が前板１２側になるように発音装置３０をラップロール９１ｒの巻芯９２に嵌めることが好ましい。このようにすると、蓋部２０が開閉する際に、開口面１０ｈと蓋板２１との角度に応じたボタン３５の天端と蓋板２１との距離が、ボタン３５が後板１４側にあるよりも前板１２側にある方が大きくなるため、発音装置３０が音を出し始める際の蓋板２１の位置を開口面１０ｈ近くに設定しやすくなる。換言すれば、仮にボタン３５が後板１４側になるように設置した際に生じ得る、蓋部２０が適正に閉じられていないのに蓋板２１がボタン３５に接触してしまって発音装置３０から音が出てしまうような誤作動を回避することができる。ここで、「適正に閉じられ」とは、引き出されたラップフィルム９１ｆを押さえて切断することができてラップフィルム９１ｆを適切に（きれいに）切断することができる状態である。
【００３５】
引き続き図１乃至図３を参照して、ラップ入りカートン１００（ラップカートン１を含む）の作用を説明する。未開封のラップ入りカートン１００は、掩蓋片２２の先端に、先端辺２２ｔ上のミシン目２９ｃを介して切取片２９が接続されており、切取片２９は前板１２に複数の点で接着されている。ラップフィルム９１ｆを初めて使用する際は、切取片２９を、前板１２から剥がしつつミシン目２９ｃで切断して掩蓋片２２から分離する。このようにラップカートン１を開封することで、蓋部２０が本体部１０に対して後板端辺１８まわりに回動可能な状態となる。
【００３６】
開封されたラップ入りカートン１００は、本体部１０の中にラップロール９１ｒが入っている。ラップロール９１ｒには、ラップフィルム９１ｆの先端に引出シール（不図示）が貼り付けられており、引出シール（不図示）を摘んで引き出すことでラップフィルム９１ｆの先端がラップロール９１ｒから剥離し、容易にラップフィルム９１ｆを引き出すことができる。ラップフィルム９１ｆを使用する際は、ラップロール９１ｒからラップフィルム９１ｆを必要な長さ分引き出して切断刃２３で切断する。このとき、発音装置３０の円筒部３２に接続された支持板３１の辺が、前板１２、底板１３、後板１４に接触又は近接しているため、ラップフィルム９１ｆを引き出した際に、ラップロール９１ｒが前板端辺１９に向かって引き寄せられる方向の力がラップロール９１ｒに作用しても、支持板３１がわずかな移動で前板１２に接し、ラップロール９１ｒの移動が止められ、ラップロール９１ｒの本体部１０からの飛び出しを防ぐことができる。
【００３７】
また、ラップフィルム９１ｆの切断に関し、ラップフィルム９１ｆを必要な長さ分引き出した状態で蓋部２０を閉じ、ラップフィルム９１ｆを前板１２と掩蓋片２２とで挟み、掩蓋片２２の図心を親指で押さえ、切断刃２３の中央を引き出されたラップフィルム９１ｆに食い込ませるようにラップ入りカートン１００を軸線９１ａまわりにひねると、ラッピングする食器等にラップフィルム９１ｆを付けた状態でも切断しやすく、好適である。このとき、蓋部２０が適正に閉じられていると、ラップフィルム９１ｆは、外側に浮くフラップ１２ｆと閉じられた蓋部２０の掩蓋片２２とに挟まれると共に、前板端辺１９に沿って形成されたストッパー５０によって動きが制限されるため、横滑りすることなく適切に切断されることとなる。他方、蓋部２０が適正に閉じられていないと、引き出されたラップフィルム９１ｆを前板１２と掩蓋片２２とで適切に挟むことができず、ラップフィルム９１ｆを切断刃２３で切断しようとしたときにラップフィルム９１ｆに滑りが生じ、ラップフィルム９１ｆに皺ができたり、ラップフィルム９１ｆの切り口がきれいではない異常な形になることが生じ得る。
【００３８】
従来の、本実施の形態に係るラップ入りカートン１００における発音装置３０を備えていない、例えば特開２００８−０６２９９９号公報に記載されているような包装用容器では、蓋部を適正に閉じたことを確認する手段として、蓋部に視認用開口部が形成されており、容器本体部の容器本体前面部に視認部が形成されており、蓋部が、容器本体部に対し、カッタによるフィルムの切断位置まで閉じられたときに、視認用開口部内に視認部が収まるようになっており、これによって、使用者はフィルムの正確な切断位置を容易に視認することができるようにしていた。この包装用容器では、フィルムの正確な切断位置を容易に視認することができるが、使用者が視認用開口部を目視しなければ正確な切断位置を把握することができず、視認用開口部を意識しない使用者が使用したときは、視認用開口部が有効に利用されず、蓋が所定位置まで閉じられずにフィルムの切断動作に入ってしまい、フィルムが良好に切断されない場合があった。
【００３９】
本実施の形態に係るラップ入りカートン１００では、蓋部２０が開いている状態から適正に閉まる前までは、軸棒３４がばね３６によって開口面１０ｈ側に付勢されて接点板３７から離れているため、発音部材３８から音が出ていない。他方、蓋部２０が適正に閉じられると、蓋板２１によって軸棒３４が底板１３側に押され、軸棒３４と接点板３７とが接触する。すると、発音部材３８を含む回路がつながり、発音部材３８から音が出る。これにより、ラップフィルム９１ｆを使用する者は、蓋部２０が適正に閉じられていることが、聴覚で確認することができる。上述した従来の包装用容器のように蓋部２０が適正に閉じられていることを視覚で確認することとすると、ラップフィルム９１ｆの使用者の主体的な（意識的な）確認が求められることになるが、本実施の形態に係るラップ入りカートン１００のように蓋部２０が適正に閉じられていることを聴覚で確認することとすると、ラップフィルム９１ｆの使用者は受動的に確認することができるため、蓋部２０を適正に閉じた状態でラップフィルム９１ｆを切断することを促進することができる。
【００４０】
ラップ入りカートン１００は、蓋部２０が適正に閉じられている状態を維持している間は、原則として発音部材３８から音が出続ける。しかし、必要な分のラップフィルム９１ｆを切断し終わり、蓋部２０を閉じた状態でラップ入りカートン１００を棚等に収納している状態（不使用状態）においても発音部材３８から音が出続けると煩わしい。本実施の形態では、発音部材３８が、音が出始めてから所定時間が経過すると音が止まるように構成されているので、不使用状態においても発音部材３８から音が出続ける煩を防ぐことができる。
【００４１】
切断された後にフラップ１２ｆと掩蓋片２２との間に挟まれているラップフィルム９１ｆは、ストッパー５０に付着しているため、ラップロール９１ｒへの巻き戻りが防止される。また、次回ラップフィルム９１ｆを使用する際に、蓋部２０を開けると、フラップ１２ｆが外側に浮くので、フラップ１２ｆに形成されたストッパー５０に付着しているラップフィルム９１ｆの先端もフラップ１２ｆの外側の前板１２から浮くこととなり、摘みやすい。特に、ラップカートン１は、左右のフラップ１２ｆの間にフラップ１２ｆが形成されていないので、この隙間に指を入れることで容易にラップフィルム９１ｆを摘むことができる。
【００４２】
以上の説明では、発音部材３８が、音が出始めてから所定時間が経過すると音が止まるように構成されているとしたが、蓋部２０を強制的に閉じる力が作用していないときには蓋部２０が適正に閉じられた状態からやや開き気味になって軸棒３４と接点板３７とが非接触状態になるように構成する場合は、所定時間経過時に音が止まるように構成されていなくてもよい。このような構成は、ばね３６の強度をそのように設定したり、本体部１０と蓋部２０との連接部分が弾性を有していることに起因する蓋部２０のスプリングバックを利用することによって、実現することとができる。しかしながら、音が出始めてから所定時間が経過すると音が止まるように発音部材３８が構成されていると、ラップ入りカートン１００の不使用時に、物が不意に蓋部２０の上に置かれたままの状態になって軸棒３４と接点板３７とが接触状態になった場合でも、所定時間が経過すると音が止まるため、不要な電力の使用を低減することができる。
【００４３】
以上の説明では、発音部材３８（電子装置）が、円筒部３２に収容されたうえでラップロール９１ｒの巻芯９２の内部に配置されることとしたが、ラップロール９１ｒの内部以外に、例えばラップロール９１ｒの軸直角断面で見て、ラップロール９１ｒの外縁と、本体部１０を構成する各板１２、１３、１４あるいは開口面１０ｈとの間のスペース（典型的には軸直角断面で見て本体部１０の角部とラップロール９１ｒとの間のスペース）に配置されることとしてもよい。特に、ラップロール９１ｒ、後板１４、開口面１０ｈからなる三角柱状領域に発音部材３８を配置するように構成すると、ラップロール９１ｒを本体部１０から抜き出すことなく発音装置３０を装着することができる。この場合、発音装置３０を、別のラップ入りカートン１００にも繰り返し使用する場合の装着の煩わしさがなくなるという利点がある。
【００４４】
以上の説明では、包囲部材が、発音部材３８（電子装置）を全周にわたって覆う円筒部３２であるとしたが、発音部材３８を支持することができれば、全周ではなく一部を覆うように構成されていてもよく、概略形状も、円筒に限らず軸直角断面が四角形等の多角形や楕円の筒状であってもよい。
【００４５】
以上の説明では、蓋部２０が適正に閉じられたときに発音部材３８から音が出る発音装置３０を備えることとしたが、発音装置３０に代えて、蓋部２０が適正に閉じられたときに本体部１０又は蓋部２０が振動するバイブレーターや、蓋部２０が適正に閉じられたときにラップカートン１の外側に光が放射される発光装置を備えることとしてもよい。換言すれば、電子装置が発音装置３０の構成部材である発音部材３８を含むこととしたが、電子装置は、発音部材３８以外の、バイブレーターあるいは発光部材であってもよい。バイブレーターを備えた場合は、蓋部２０が適正に閉じられていることを触覚で確認することができ、発光装置を備えた場合は、蓋部２０が適正に閉じられていることを受動的に視覚で確認することができる。いずれの場合も、ラップフィルム９１ｆの使用者の主体的な（意識的な）確認を要さずに、蓋部２０が適正に閉じられていることを確認することができる。また、発音装置３０に代えてバイブレーターや発光装置を備える場合も、これらの電子装置は巻芯９２内に収容される。あるいは、これらの電子装置の主要部品が巻芯９２内に収容され、付属部品（例えばバイブレーターの振動子、発光装置の発光部材等）は巻芯９２の外側に配設されていてもよい。
【００４６】
以上の説明では、発音部材３８から音波を発する契機を与える部材が、軸棒３４を有するスイッチ３３であるとしたが、スイッチ３３に代えて、光センサを適用することとしてもよい。
【００４７】
以上の説明では、蓋部２０が適正に閉じられていることを聴覚で確認することができるように、蓋部２０が適正に閉じられたときに発音部材３８から音が出ることとしたが、ラップフィルム９１ｆの使用者に癒しを提供するため等の目的で、蓋部２０を開けたときにメロディ等の音が出るように構成してもよい。
【００４８】
以上の説明では、ラップカートン１が、コートボール紙で形成された直方体状の本体部１０を備えることとしたが、材質は厚紙に代えて樹脂製としてもよく、形状は直方体に限らず一部又は全部の面が曲面に形成されていてもよい。この場合、蓋部２０は本体部１０に合わせて開口を閉じることができるように構成されるとよい。
【符号の説明】
【００４９】
１    ラップカートン
１０  本体部
１０ｈ  開口面
１２  前板
１３  底板
１４  後板
１５  脇板
１８  後板端辺
２０  蓋部
２１  蓋板
３０  発音装置
３１  支持板
３２  円筒部
３３  スイッチ
３４  軸棒
３８  発音部材
９１ａ  軸線
９１ｆ  長尺物
９１ｒ  巻回体
９２  巻芯
１００  ラップ入りカートン
【図１】
2014076825.tif 000003
【図２】
2014076825.tif 000004
【図３】
2014076825.tif 000005